(57)【要約】【課題】  構造を複雑化することなく、本体部と接続ユニットとの脱着時においてコネクタ部に大電流が流れて接続ユニット側の電気部品が破損する等の不具合の発生を防止することが可能なコネクタ端子構造を提供する。【解決手段】  フィルムスキャナ部３では、フィルムキャリア１０とスキャナユニット６０とを接続するコネクタ部１８ａ，１８ｂが有する端子構造として、コネクタ１８ａ側の端子７０ａ，７０ｂと、コネクタ１８ｂ側の端子７２ａ，７２ｂとを有している。コネクタ１８ａ側の端子７０ａは、他方の端子７０ｂがコネクタ部１８ｂ側の端子７２ｂと接続されるよりも先に、定電圧回路１２０と接続されたコネクタ１８ｂ側の端子７２ａに対して接続される。【選択図】      図８
2007035478.tif 000002
【特許請求の範囲】
【請求項１】
電源供給部を含む本体部と前記本体部に対して接続される接続ユニットとを、第１コネクタ部と第２コネクタ部とを用いて電気的に接続するコネクタ端子構造であって、
前記第１コネクタ部および前記第２コネクタ部の少なくとも一方は、前記電源供給部に接続される第１端子部と、前記第１コネクタ部と前記第２コネクタ部との接続時には前記第２コネクタ部の端子部との接触のタイミングが前記第１端子部よりも遅れるように配置されている第２端子部と、
を備えているコネクタ端子構造。
【請求項２】
前記第１端子部における接続側の端部は、前記第２端子部における前記接続側の端部よりも前方に配置されている、
請求項１に記載のコネクタ端子構造。
【請求項３】
前記第１端子部と前記第２端子部とは、前記第１コネクタ部と前記第２コネクタ部との脱着方向において前記第２コネクタ部の端子部に対する接触部分の長さが異なっている、
請求項１または２に記載のコネクタ端子構造。
【請求項４】
前記第１端子部と前記第２端子部とは、前記第１コネクタ部と前記第２コネクタ部との脱着方向における長さが異なっている、
請求項１から３のいずれか１項に記載のコネクタ端子構造。
【請求項５】
前記第１端子部と前記第２端子部とは、前記電源供給部に接続された第１コネクタ部側に設けられている、
請求項１から４のいずれか１項に記載のコネクタ端子構造。
【請求項６】
前記第１端子部と前記第２端子部とは、前記第２コネクタ部側に設けられている、
請求項１から５のいずれか１項に記載のコネクタ端子構造。
【請求項７】
前記第２端子部は、センサを含む回路に接続されている、
請求項１から６のいずれか１項に記載のコネクタ端子構造。
【請求項８】
請求項１から７のいずれか１項に記載のコネクタ端子構造と、
フィルムに担持された画像情報を取得するスキャナユニットと、
前記スキャナユニットに対して取り付けられ、前記フィルムを搬送するフィルムキャリアと、
を備えており、
前記スキャナユニットと前記フィルムキャリアとが、前記第１コネクタ部と前記第２コネクタ部とによって接続される、
フィルムスキャナ装置。
【発明の詳細な説明】
【技術分野】
【０００１】
本発明は、本体部と接続ユニットとを電気的に接続するコネクタの端子構造に関する。
【背景技術】
【０００２】
従来より、電源供給部を備えた本体側に、着脱可能な接続ユニットを接続して本体側から電源の供給を受けるように構成されたシステムが用いられている。
このようなシステムでは、接続ユニットを本体側に装着したときに、本体側の電源から接続ユニット側へ瞬間的な突入電流が流れることがある。そして、この接続の瞬間には電気的な接続が不安定であるため電極の間でスパークが飛ぶことがある。
【０００３】
特に、接続ユニットに大きな容量の電解コンデンサーを備えている場合には、接続の瞬間に、本体側から接続ユニットへ大きな電流が流れる。このため、コネクタの電極が大電流やスパークによって溶けたり損傷を受けたりする等の問題が発生する。そこで、接続ユニットを確実に装着するまでは電源の供給を中断しておき、確実に装着してから電源を供給するように構成することが好ましい。
【０００４】
例えば、特許文献１には、上記のように、接続ユニットの装着後に電源供給を行うことを目的として、電圧検知手段によって電圧が供給されたことを検出してから所定時間経過後に電源供給スイッチ手段を閉じる遅延手段を備えた電源供給制御装置が開示されている。
【特許文献１】特開２０００−１５６９３３号公報（平成１２年６月６日公開）
【発明の開示】
【発明が解決しようとする課題】
【０００５】
しかしながら、上記従来の電源供給制御装置では、以下に示すような問題点を有している。
すなわち、上記公報に開示された電源供給制御装置では、別途遅延手段を含む回路等を設ける必要があり、回路構成の複雑化やコストアップ等の問題を有している。
本発明の課題は、構造を複雑化することなく、本体部と接続ユニットとの脱着時においてコネクタ部に大電流が流れて接続ユニット側の電気部品が破損する等の不具合の発生を防止することが可能なコネクタ端子構造を提供することにある。
【課題を解決するための手段】
【０００６】
第１の発明に係るコネクタ端子構造は、電源供給部を含む本体部と本体部に対して接続される接続ユニットとを、第１コネクタ部と第２コネクタ部とを用いて電気的に接続するコネクタ端子構造であって、第１コネクタ部および第２コネクタ部の少なくとも一方は、電源供給部に接続される第１端子部と、第２端子部と、を備えている。第２端子部は、第１コネクタ部と第２コネクタ部との接続時には第２コネクタ部の端子部との接触のタイミングが第１端子部よりも遅れるように配置されている。
【０００７】
ここでは、電源供給部を含む本体部および本体部に対して接続される接続ユニットのうち、少なくともいずれか一方のコネクタ部（第１コネクタ部または第２コネクタ部）に、他方のコネクタ部（第２コネクタ部または第１コネクタ部）に含まれる端子部との接触のタイミングが異なる２種類の端子部（第１端子部、第２端子部）を設けている。
通常、このようなコネクタ部を用いた接続では、電源に接続された端子部と他の端子部とがほぼ同時に他方のコネクタ部に含まれる端子部と接触するため、他の端子部に接続されているセンサ等の電気部品を含む回路には、接続と同時に大電流（突入電流）が流れてセンサ等が破壊されるおそれがある。
【０００８】
このため、従来より、電気的接続のタイミングを各端子間において差を設けるための遅延手段等を別途設けた電源供給制御装置等が用いられている。しかし、この場合には、電気的接続のタイミングをずらしてセンサ等の電気部品の破壊を防止できるものの、遅延手段等を別途設ける必要があるため、構成が複雑化してコストアップの要因となる。
本発明のコネクタ端子構造では、第１コネクタ部と第２コネクタ部とを接続する際には、電源供給部に接続されている第１端子部よりも第２端子部に対して接触するタイミングが遅れるように第２端子部が配置されている。換言すれば、第１端子部が他方のコネクタ部の端子部に対して接触して電源供給が可能な状態となった後、第２端子部が他方のコネクタ部の端子部に対して接触する。
【０００９】
これにより、例えば、第２端子部がセンサ（電気部品）を含む回路に接続されている場合でも、確実に第１端子部が他方のコネクタ部の端子に導通して電源供給が可能な状態になってから第２端子部が他方のコネクタの端子部と接続されるため、第１・第２コネクタ部の接続時において第２端子部側に急激に電流が流れてセンサ（電気部品）を破壊してしまうことを防止することができる。
【００１０】
一方、第１コネクタ部と第２コネクタ部との接続時において第２端子部が電源側の第１端子部よりも他方のコネクタ部の端子部に対して遅れて接触するということは、第１コネクタ部と第２コネクタ部とを切り離す際には、電源供給部に接続されている第１端子部の方が第２端子部よりも遅れて非接触となることを意味する。換言すれば、第２端子部が他方のコネクタ部の端子部と接触しなくなった後、第１端子部が他方のコネクタ部の端子部と接触しなくなって電源供給が不能な状態となる。
【００１１】
これにより、第２端子部が他方のコネクタ部の端子と接続が解除された後で電源側の接続が解除されるため、第１・第２コネクタ部の分離時においても第２端子部に接続されたセンサ（電気部品）を破壊してしまうことを防止することができる。
この結果、第１・第２コネクタ部を脱着する場合でも、例えば、第１端子部と第２端子部との長さに差を設ける等の簡易な構成によって他方のコネクタ部の端子部に対する両者の接触タイミングを変えることで、第２端子部側のセンサ等の電気部品が破損してしまうといった不具合の発生を防止することができる。
【００１２】
第２の発明に係るコネクタ端子構造は、第１の発明に係るコネクタ端子構造であって、第１端子部における接続側の端部は、第２端子部における接続側の端部よりも前方に配置されている。
ここでは、第１コネクタ部と第２コネクタ部との脱着方向における第１端子部の端部および第２端子部の端部の位置に差を設けることで、第１端子部における第２コネクタ部の端子との接触のタイミングを第２端子部よりも遅れさせている。具体的には、電源側の第１端子部における他方のコネクタ部との接続側の端部を、第２端子部における他方のコネクタ部との接続側の端部よりも手前側（前方）に配置している。
【００１３】
これにより、各コネクタ部の接続時には、電源側の第１端子部の方が第２端子部よりも先に他方のコネクタ部の端子部に対して接触させることができる。この結果、第２端子部に接続されたセンサ等の電気部品が、第１・第２コネクタ部の接続時における突入電流によって破壊されることを回避することができる。
【００１４】
第３の発明に係るコネクタ端子構造は、第１または第２の発明に係るコネクタ端子構造であって、第１端子部と第２端子部とは、第１コネクタ部と第２コネクタ部との脱着方向において第２コネクタ部の端子部に対する接触部分の長さが異なっている。
ここでは、第１コネクタ部と第２コネクタ部との脱着方向において第２コネクタ部の端子部に対する接触部分の長さに差を設けることで、第２端子部における第２コネクタ部の端子との接触のタイミングを、電源側の第１端子部よりも遅れさせている。具体的には、第１・第２コネクタ部の接続時における端子部間の導通ストロークを、第２端子部の方が第１端子部よりも短くなるようにする。
【００１５】
これにより、各コネクタ部の接続時には、電源側の第１端子部の方が第２端子部よりも先に他方のコネクタ部の端子部に対して接触するため、第２端子部に接続されたセンサ等の電気部品が突入電流によって破壊されることを回避することができる。
【００１６】
第４の発明に係るコネクタ端子構造は、第１から第３の発明のいずれか１つに係るコネクタ端子構造であって、第１端子部と第２端子部とは、第１コネクタ部と第２コネクタ部との脱着方向における長さが異なっている。
ここでは、第１コネクタ部と第２コネクタ部との脱着方向において、第１・第２端子部の長さに差を設けることで、第２端子部における第２コネクタ部の端子との接触タイミングを電源側の第１端子部よりも遅れさせている。
これにより、各コネクタ部の接続時には電源側の第１端子部の方が第２端子部よりも先に他方のコネクタ部の端子部に対して接触するため、第２端子部に接続されたセンサ等の電気部品が突入電流によって破壊されることを回避することができる。
【００１７】
第５の発明に係るコネクタ端子構造は、第１から第４の発明のいずれか１つに係るコネクタ端子構造であって、第１端子部と第２端子部とは、電源供給部に接続された第１コネクタ部側に設けられている。
ここでは、第１・第２コネクタ部の接続時における電源側の端子部とセンサ等の電気部品側の端子部とにおける、他方のコネクタ部の端子部に対する接触タイミングをずらすための第１・第２端子部を、電源供給部を含む本体側の第１コネクタ部側の端子部として設けている。
【００１８】
これにより、センサ等の電気部品が接続された第２コネクタ部として従来の端子構成を有するコネクタ部を用いた場合でも、各コネクタ部の接続時には、第１コネクタ部において第２端子部の方が電源側の第１端子部よりも先に第２コネクタ部の端子部に対して接触するため、第２端子部に接続されたセンサ等の電気部品が突入電流によって破壊されることを回避することができる。
【００１９】
第６の発明に係るコネクタ端子構造は、第１から第５の発明のいずれか１つに係るコネクタ端子構造であって、第１端子部と第２端子部とは、第２コネクタ部側に設けられている。
ここでは、第１・第２コネクタ部の接続時における電源側の端子部とセンサ等の電気部品側の端子部とにおける、他方のコネクタ部の端子部に対する接触タイミングをずらすための第１・第２端子部を、センサ等の電気部品側の第２コネクタ部側の端子部として設けている。
【００２０】
これにより、電源供給部に接続された第１コネクタ部として従来の端子構成を有するコネクタ部を用いた場合でも、各コネクタ部の接続時には、第２コネクタ部において第２端子部の方が電源側の第１端子部よりも遅れて第１コネクタ部の端子部に対して接触するため、第２端子部に接続されたセンサ等の電気部品が突入電流によって破壊されることを回避することができる。
【００２１】
第７の発明に係るコネクタ端子構造は、第１から第６の発明のいずれか１つに係るコネクタ端子構造であって、第２端子部は、センサを含む回路に接続されている。
ここでは、第２端子部がセンサを含む回路と接続されている。
このように、第２端子部が、第１・第２コネクタ部の接続時における突入電流によって破壊され易いセンサを含む回路と接続されている場合でも、各コネクタ部の接続時には、第２コネクタ部において第２端子部の方が電源側の第１端子部よりも遅れて第１コネクタ部の端子部に対して接触するため、第２端子部に接続されたセンサ等の電気部品が突入電流によって破壊されることを回避することができる。
【００２２】
第８の発明に係るフィルムスキャナ装置は、第１から第７の発明のいずれか１つに係るコネクタ端子構造と、フィルムに担持された画像情報を取得するスキャナユニットと、スキャナユニットに対して取り付けられ、フィルムを搬送するフィルムキャリアと、を備えている。そして、スキャナユニットとフィルムキャリアとが、第１コネクタ部と第２コネクタ部とによって接続される。
【００２３】
ここでは、本発明のコネクタ端子構造を、フィルムスキャナ装置に搭載している。
これにより、例えば、フィルムスキャナ装置に含まれるスキャナユニットとフィルムキャリアとを第１・第２コネクタ部によって電気的に接続する場合でも、第２端子部に接続されたセンサ等の電気部品が突入電流によって破壊されることを回避することが可能なフィルムスキャナ装置を得ることができる。
【発明の効果】
【００２４】
第１の発明に係るコネクタ端子構造によれば、第２端子部側のセンサ等の電気部品が破損してしまうといった不具合の発生を防止することができる。
第２の発明に係るコネクタ端子構造によれば、第２端子部に接続されたセンサ等の電気部品が、第１・第２コネクタ部の接続時における突入電流によって破壊されることを回避することができる。
【００２５】
第３の発明に係るコネクタ端子構造によれば、第２端子部に接続されたセンサ等の電気部品が突入電流によって破壊されることを回避することができる。
第４の発明に係るコネクタ端子構造によれば、第２端子部に接続されたセンサ等の電気部品が突入電流によって破壊されることを回避することができる。
第５の発明に係るコネクタ端子構造によれば、第２端子部に接続されたセンサ等の電気部品が突入電流によって破壊されることを回避することができる。
【００２６】
第６の発明に係るコネクタ端子構造によれば、第２端子部に接続されたセンサ等の電気部品が突入電流によって破壊されることを回避することができる。
第７の発明に係るコネクタ端子構造によれば、第２端子部に接続されたセンサ等の電気部品が突入電流によって破壊されることを回避することができる。
第８の発明に係るフィルムスキャナ装置によれば、例えば、第２端子部に接続されたセンサ等の電気部品が突入電流によって破壊されることを回避することが可能なフィルムスキャナ装置を得ることができる。
【発明を実施するための最良の形態】
【００２７】
本発明の一実施形態に係るコネクタ端子構造を搭載したフィルムスキャナ部３を含むプリンタプロセッサ（写真処理装置）１について、図１〜図９を用いて説明すれば以下の通りである。
［プリンタプロセッサ１全体の構成］
本実施形態に係るプリンタプロセッサ１は、デジタル露光式を採用した写真処理装置であって、図１および図２に示すように、フィルムスキャナ部（フィルムスキャナ装置）３と、デジタルプリント部５と、現像処理部６とを備えている。
【００２８】
フィルムスキャナ部３は、現像処理済みの写真フィルムＦに担時された画像コマからデジタル画像データを読み取る。
デジタルプリント部５は、フィルムスキャナ部３が読み取ったデジタル画像データに基づいて画像コマに対応する画像を印画紙Ｐに対して露光処理する。
現像処理部６は、露光された印画紙Ｐの現像処理を行う。
【００２９】
このプリントデータ現像処理部６で現像された印画紙Ｐは、乾燥工程を経て仕上がりプリントとして排出される。また、プリンタプロセッサ１は、本体１００内に、フィルムスキャナ部３が読み取ったデジタル画像データを一旦格納する格納手段を収納している。そして、プリンタプロセッサは、この格納手段に格納されたデジタル画像データに基づいてプリントデータを作成するコントローラ７（図２参照）を有している。
【００３０】
（フィルムスキャナ部３）
フィルムスキャナ部３は、図２に示すように、主な構成要素として、フィルムキャリア（接続ユニット）１０と、スキャナユニット（本体部）６０とを備えている。
フィルムキャリア１０は、写真フィルムＦに対する光の照射範囲を決定するとともに、写真フィルムＦを支持した状態でラインＣＣＤセンサ５１によるスキャニングのために副走査方向に搬送する。
【００３１】
スキャナユニット６０は、照明光学系３０、撮像光学系４０、および光電変換素子としてラインＣＣＤセンサ５１を用いた光電変換部５０を有している。
照明光学系３０は、プリンタプロセッサ１の本体１００の天板１００ａ上に立設された第１ランプハウス３ａ内に白色光源として収納されたハロゲンランプ３１を備えている。ハロゲンランプ３１から照射される光ビームは、調光フィルタ３２やミラートンネル３３等によって光波長分布や光の強度分布を整えられた上で、フィルムキャリア１０上の写真フィルムＦを照射する。
【００３２】
撮像光学系４０は、写真フィルムＦからの透過光ビームの処理を行う部材であって、レンズユニット４１と光ビームの進行方向を変えるミラー４２とを含んでいる。なお、調光フィルタ３２は、調整時に用いられるセットアップフィルタ３２ａを備えている。そして、コントローラ７の指令により、このセットアップフィルタ３２ａを光軸上に設定することができる。
【００３３】
光電変換部５０は、撮像光学系４０によって導かれた光ビームを光電変換する部材であって、ラインＣＣＤセンサ５１としてＲ，Ｇ，Ｂの各色の光を検出するために割り当てられた３つのＣＣＤセンサ５１ａ，５１ｂ，５１ｃを備えている。各ＣＣＤセンサ５１ａ，５１ｂ，５１ｃは、多数（例えば５０００個）のＣＣＤ素子が主走査方向、つまり写真フィルムＦの幅方向に配列されている。
【００３４】
赤色用ＣＣＤセンサ５１ａの撮像面には、写真フィルムＦを透過した光の赤色成分のみを通過させるカラーフィルタが、緑色用ＣＣＤセンサ５１ｂの撮像面には、写真フィルムＦを透過した光の緑色成分のみを通過させるカラーフィルタが、青色用ＣＣＤセンサ５１ｃの撮像面には、写真フィルムＦを透過した光の青色成分のみを通過させるカラーフィルタが設けられており、それぞれ基本的に青色成分、赤色成分、緑色成分の波長光のみを光電変換する。
【００３５】
写真フィルムＦのコマ画像がフィルムキャリア１０に設定されているスキャン位置に位置決めされると、コマ画像の読取処理が開始される。そして、コマ画像の透過光は、フィルムキャリア１０のフィルム搬送機構９による写真フィルムＦの送りにより、順次Ｒ，Ｇ，Ｂの３つの各ＣＣＤセンサ５１ａ，５１ｂ，５１ｃによって読み取られる。Ｒ，Ｇ，Ｂの各ＣＣＤセンサは、写真フィルムＦの搬送方向に沿って数画素分の間隔を隔てて配置されている。このため、同一の画素におけるＲ，Ｇ，Ｂの各成分色の検出タイミングには時間差が生じるが、これは光電変換部５０の後段での信号処理により同一の画素のＲ，Ｇ，Ｂ画像信号が対応づけられてコントローラ７の所定のメモリに格納される。
【００３６】
このような、フィルムスキャナ部３の照明光学系３０、撮像光学系４０、光電変換部５０の各制御はコントローラ７によって行われる。コントローラ７には、画像情報の加工処理に関するデータを表示するためのモニタ７ａと、各種処理命令を入力するための操作卓７ｂとが接続されている。そして、このコントローラ７は、ＣＰＵ、ＲＯＭ、ＲＡＭおよびＩ／Ｏインターフェース等から構成されるマイクロコンピュータシステムを中核部材として構成され、上述したような各部の制御に必要な各種機能をハードウエアまたはソフトウエアあるいはその両方で実現させている。
【００３７】
（デジタルプリント部５）
デジタルプリント部５では、未露光の印画紙Ｐｘに対して潜像を露光するための露光エンジンとして、ＰＬＺＴ素子からなるシャッタ素子（光出射素子の一例）がライン状に集合したシャッタアレイ３６ａが採用されている。
このシャッタアレイ３６ａは、チタン酸ジルコン酸鉛にランタンを添加することにより得られる透明強誘電性セラミックス材料から構成されており、この材料の有する電気光学効果を利用している。具体的には、本体１００の天板１００ａ上に立設された第２ランプハウス５ａ内に設けられている光源５ｂからの白色の照射光が、Ｒ，Ｇ，Ｂ各色の光に波長変調された上で、多数の光ファイバ３５を介して、各シャッタ素子に交互に導入される。これを実現するために、光源５ｂと光ファイバ３５の間には、Ｒ，Ｇ，Ｂの３色の光学フィルタが円周に沿って配列された回転フィルタ２２と、この回転フィルタ２２を約１２，０００回転／ｍｉｎ等の高速で駆動する電動モータ（不図示）とが設けられている。このため、各瞬間には回転フィルタ２２上のＲ，Ｇ，Ｂの内の１つのカラーフィルタのみが選択的に光源からの光軸内に進入し、その色のフィルタを介して選択色の光が束状の光ファイバ３５を通じてシャッタアレイ３６ａの各シャッタ素子に送られる。一方、各シャッタ素子は、そこに所定レベルの電圧が印加されると光透過状態になり、その電圧印加が停止されると光遮断状態となる構成になっている。よって、各画素に対応するシャッタに対してコントローラ７からプリントデータに基づいた駆動電圧が印加されると、そのシャッタが開いて、その時に光源から導入されている色の光が印画紙Ｐに照射される。未露光の印画紙Ｐｘは、シャッタアレイ３６ａの上流側と下流側に配置されたローラ対８０Ｂ，８０Ｃ等によって、シャッタアレイ３６ａの前面を一定速度で副走査方向（図２の上向き）に駆動されることで面状の潜像が印画紙Ｐに形成される。
【００３８】
（印画紙搬送機構８）
印画紙搬送機構８は、印画紙Ｐを搬送する機構であって、図２に示すように、印画紙マガジン２Ａ，２Ｂの下流側に設けられている。印画紙搬送機構８は、印画紙供給ライン８Ａ、露光搬送ライン８Ｂ、および現像搬送ライン８Ｃを含んでいる。
印画紙マガジン２Ａ，２Ｂは、デジタルプリント部５の最も上流側に設けられている。そして、各印画紙マガジン２Ａ，２Ｂには、乳剤面を外側にした長尺の印画紙Ｐがロール状にされた状態で収納されている。
【００３９】
印画紙供給ライン８Ａは、印画紙マガジン２Ａ，２Ｂに隣接配置されている。そして、印画紙供給ライン８Ａは、印画紙マガジン２Ａ，２Ｂのいずれか一方から選択的に印画紙Ｐを引き出してペーパーカッター１２まで搬送するローラ群を含んでいる。
露光搬送ライン８Ｂは、印画紙Ｐの搬送方向に沿って、中間搬送ローラユニット８０Ａ、第１露光搬送ローラユニット８０Ｂ、および第２露光搬送ローラユニット８０Ｃを備えている。中間搬送ローラユニット８０Ａは、印画紙供給ライン８Ａから供給された未露光の印画紙Ｐｘを第１露光搬送ローラユニット８０Ｂまで送る。第１露光搬送ローラユニット８０Ｂおよび第２露光搬送ローラユニット８０Ｃは、デジタルプリント部５の露光ヘッド（シャッタアレイ３６ａ）による露光点を搬送方向の前後から挟み込むように入り口側と出口側とにそれぞれ配置されている。また、露光搬送ライン８Ｂでは、印画紙Ｐを搬送しながらシャッタアレイ３６ａによる露光操作が実施され、露光搬送ライン８Ｂから送り出された印画紙Ｐは、現像搬送ライン８Ｃまで搬送される。
【００４０】
（フィルムキャリア１０の構成）
フィルムキャリア１０は、図３に示すように、ベース部材３４ａと、カバー部材３４ｂとを有している。
ベース部材３４ａは、搬送される写真フィルムＦの下側に配置されており、照明光学系３０から照射されて写真フィルムＦを透過した光をスリット光として撮像光学系４０に導く通過孔形成ブロック１４が設けられている。なお、透過光形成ブロック１４に形成された通過孔１４ａの中心線は、図４に示すスキャニングラインＳＬを定義している。また、ベース部材３４ａには、フィルム面を通過した透過光をレンズユニット４１に導くための開口部３４Ｇ（図６を参照）が形成されている。
【００４１】
カバー部材３４ｂは、ベース部材３４ａに対してヒンジで支持され、閉鎖姿勢と開放姿勢との間で揺動操作可能な状態で取り付けられている。また、カバー部材３４ｂは、ミラートンネル３３を出た光を通過孔形成ブロック１４上のフィルム面に導くための開口部３４Ｆが形成されている。
また、フィルムキャリア１０は、ベース部材３４ａとカバー部材３４ｂとの間に支持された写真フィルムＦを所定速度で副走査方向に走行させて、スキャニングラインＳＬを横断させるためのフィルム搬送機構９を有している。
【００４２】
フィルム搬送機構９は、ベース部材３４ａ上に支持された送りローラ９ａと、カバー部材３４ｂに支持された圧着ローラ９ｂ、および送りローラ９ａを回転駆動するパルスモータ１３を含んでいる。これにより、カバー部材３４ｂが閉鎖状態にある時には、写真フィルムＦの上下の非画像領域が、送りローラ９ａと圧着ローラ９ｂとの間に押し付けられるので、確実にフィルムを所定の方向に走行させることができる。
【００４３】
なお、フィルムキャリア１０の右側には、図３に示すように、第１フィルム挿通口３４ｃが、左側には第２フィルム挿通口３４ｄが形成されている。スキャンの手順としては、例えば、先ず写真フィルムＦを第１フィルム挿通口３４ｃから挿入して左側に搬送しながらプレスキャンを行う。次に、プレスキャンに引き続いて、今度は右側に搬送しながら、あるいは第２フィルム挿通口３４ｄから挿入し直して右側に搬送しながら本スキャンを実施する。
【００４４】
また、フィルムキャリア１０の背面側には、本体１００に設けられた定電圧回路（電源供給部）１２０（図５を参照）やドライバ回路（図示せず）をパルスモータ１３と接続されたコネクタ（第１コネクタ部、第２コネクタ部、コネクタ端子構造）１８ｂと接続するためのコネクタ（第２コネクタ部、第１コネクタ部、コネクタ端子構造）１８ａ（ピン側）が設けられている。なお、このフィルムキャリア１０側のコネクタ１８ａと、本体側のコネクタ１８ｂとの間における接続については、後段にて詳述する。
【００４５】
また、スキャニングラインＳＬのフィルム搬送方向上流側と下流側には、図３と図４に示すように、写真フィルムＦの下面を支持するガイドローラ９ｃが配置されている。
ガイドローラ９ｃは通過孔形成ブロック１４に設けられた溝に埋め込まれるような状態で、ベース部材３４ａに対して回転可能に支持されている。このガイドローラ９ｃは、スキャニングラインＳＬを横断する写真フィルムＦの円滑な走行性と平面保持性を確保している。さらに、カバー部材３４ｂには、写真フィルムＦの幅方向中央部の上向き凸状のカール傾向をガイドローラ９ｃとともに押さえ込むための押さえローラ９ｄが、スキャニングラインＳＬのフィルム搬送方向上流側と下流側に位置するように回転可能な状態で支持されている。
【００４６】
（フィルムキャリア１０の支持機構）
本実施形態のプリンタプロセッサ１では、本体１００の天板１００ａに固定されたスキャナユニット６０に含まれるマスクホルダ１０５とフィルムキャリア１０との間に、図１および図７に示す状態の第１位置と第２位置との間でフィルムキャリア１０が移動可能な状態でフィルムキャリア１０を支持する支持機構が設けられている。
【００４７】
なお、上記第１位置とは、フィルムキャリア１０上の写真フィルムＦが透過光の光軸と一致する状態をいい、上記第２位置とは、フィルムキャリア１０上の写真フィルムＦが透過光の光軸から離間した状態をいう。
マスクホルダ１０５には、本体部側のコネクタ部としてコネクタ１８ｂ（ソケット側）が設置されている。フィルムキャリア１０側のコネクタ１８ａは、このコネクタ１８ｂと連結されて、スキャナユニット６０（本体１００）側の定電圧回路１２０からフィルムキャリア１０内のパルスモータ１３に対する給電が可能となる。
【００４８】
支持機構は、図５に示すように、主に、一対のレール１０６ａ，１０６ｂと、合計３個の案内ローラ１０７ａ，１０７ｂ，１０７ｃと、直線状の切り欠き３５ａ，３５ｂとで構成されている。
一対のレール１０６ａ，１０６ｂは、マスクホルダ１０５上に設置されている。
案内ローラ１０７ａ，１０７ｂ，１０７ｃは、これらレールの両外側に垂直軸芯回りで回転可能に設けられている。
【００４９】
切り欠き３５ａ，３５ｂは、フィルムキャリア１０のベース部材３４ａの左右の下部に形成されている。
なお、左側のレール１０６ａに沿って互いに相前後して設けられた案内ローラ１０７ａ，１０７ｂの軸芯は、マスクホルダ１０５に対して固定されている。一方、右側のレール１０６ｂの外側に配置された案内ローラ１０７ｃは、強力な捻りコイルばね１０８によって左側のレール１０６ａに向けて付勢されている。また、案内ローラ１０７ａ，１０７ｂ，１０７ｃは、鉛直下向きに進むにつれて径が小さくなる円錐台形の形状を有している。他方、切り欠き３５ａ，３５ｂの正面視における断面形状は、これら円錐台形の周面とほぼ線接触する逆三角形となっている。このため、フィルムキャリア１０は、左右の切り欠き３５ａ，３５ｂを左側の案内ローラ１０７ａ，１０７ｂと右側の案内ローラ１０７ｃとに各々係合させながら奥側に向けて水平に押し込んで行くことで、捻りコイルばね１０８によって左側の案内ローラ１０７ａ，１０７ｂに押し付けられる。これにより、マスクホルダ１０５に対するフィルムキャリア１０の左右方向の位置設定が行われる。
【００５０】
さらに、フィルムキャリア１０は、案内ローラ１０７ａ，１０７ｂ，１０７ｃの各円錐台形の周面と切り欠き３５ａ，３５ｂの間に得られるカム面状の作用により、捻りコイルばね１０８の付勢力によってレール１０６ａ，１０６ｂに対して押し付けられる。このため、結果的に、フィルムキャリア１０の垂直方向における位置設定も行われる。
なお、３つの案内ローラ１０７ａ，１０７ｂ，１０７ｃ同士を結ぶ仮想線が平面視においては鋭角三角形を形成しており、かつ右側の案内ローラ１０７ｃが前後方向に関して左側の案内ローラ１０７ａ，１０７ｂの中間に位置しているため、捻りコイルばね１０８の付勢力は、左側の２つの案内ローラ１０７ａ，１０７ｂに対してほぼ均等にフィルムキャリア１０を押し付ける。その結果、フィルムキャリア１０は、がたつくことなく３つの案内ローラ１０７間に安定して保持される。
【００５１】
（フィルムキャリア１０の位置決め機構）
本実施形態のプリンタプロセッサ１には、さらに、上述した支持機構によってマスクホルダ１０５上に前後方向に移動自在に支持されたフィルムキャリア１０を、フィルムキャリア１０上の写真フィルムＦが前記透過光の光軸と一致する「第１位置」に位置決めするための位置決め機構が設けられている。
【００５２】
位置決め機構は、捻りコイルばね１０８によって付勢された右側の案内ローラ１０７ｃと、フィルムキャリア１０の右側の切り欠き３５ｂの一部に形成された円弧状の係合凹部３５ｃ（図６参照）とによって構成される。
フィルムキャリア１０は、支持機構によって支持された状態のフィルムキャリア１０を、図５に示す矢印方向に押し込んで行き、案内ローラ１０７ｃがこの係合凹部３５ｃ内に入り込むと、捻りコイルばね１０８の付勢力によって前後方向にも一定の作用力下で安定保持される。
【００５３】
なお、係合凹部３５ｃの後方には、直線状の切り欠き３５ｂに対して傾斜した乗り上げ面３５ｄが形成されている。そして、係合凹部３５ｃと乗り上げ面３５ｄとの遭遇箇所には、直線状の切り欠き３５ｂよりもさらに外側に突出した突起部３５ｅが形成されている。すなわち、フィルムキャリア１０を押し込んで行く時に、案内ローラ１０７ｃは先ず乗り上げ面３５ｄを登って行き、突起部３５ｅを越えた後で、係合凹部３５ｃ内に加速的に入り込む。これにより、フィルムキャリア１０を「第１位置」に位置決めすることができる。
【００５４】
なお、マスクホルダ１０５の上面から垂直に延びたフレーム部材１１０の面には、ストッパ部材１１１が設けられている。ストッパ部材１１１は、フィルムキャリア１０との衝突の衝撃を和らげる弾性を有するゴム製パッドによって形成されている。そして、ストッパ部材１１１は、「第２位置」から「第１位置」に向かうフィルムキャリア１０が「第１位置」を越えて移動することを規制する。
【００５５】
（フィルムキャリア１０とスキャナユニット６０との接続）
本実施形態のフィルムキャリア１０では、図５〜図７に示すように、フィルムキャリア１０と、スキャナユニット６０（マスクホルダ１０５）との電気的な接続を、上述したコネクタ１８ａ，１８ｂを介して行う。
コネクタ１８ａは、上述したように、フィルムキャリア１０のスキャナユニット６０（マスクホルダ１０５）に対する取り付け側から見て背面側（奥側）に設けられている。また、コネクタ１８ａは、図６に示すように、先端部分の上面側に複数の端子（第１端子部）７０ａ、先端部分の下面側に端子７０ａと同じ長さで脱着方向に交差する方向おける配置がずれている複数の端子（第２端子部）７０ｂを有している。
【００５６】
コネクタ１８ｂは、図５に示すように、本体部側に相当するスキャナユニット６０のマスクホルダ１０５に取り付けられたソケット側のコネクタであって、先端部分の上面側に複数の端子７２ａ、先端部分の下面側に定電圧回路１２０と接続された複数の端子７２ｂをそれぞれ有している。そして、スキャナユニット６０（マスクホルダ１０５）側に設けられたコネクタ１８ｂが、コネクタ１８ａの内側に入り込むようにして挿入される。このとき、コネクタ１８ａの先端部の内側に配置された複数の端子７０ａ，７０ｂが、コネクタ１８ｂの先端部の外側に配置された複数の端子７２ａ，７２ｂに対して１対１で対応するように接触する。これにより、定電圧回路１２０と接続されたコネクタ１８ｂの上側の端子７２ａから、コネクタ１８ａの上側の端子７０ａを介してフィルムキャリア１０に対して電力が供給される。
【００５７】
ここで、コネクタ１８ａとコネクタ１８ｂとが接続されるまでの過程について、図８（ａ）〜図８（ｄ）を用いて説明すれば以下の通りである。
まず、マスクホルダ１０５側のコネクタ１８ｂでは、図８（ａ）に示すように、上側の端子７２ａと下側の端子７２ｂとが、平面視において重なるように、換言すれば、水平方向における同じ位置に配置されている。
【００５８】
一方、フィルムキャリア１０側のコネクタ１８ａでは、図８（ａ）に示すように、上側の端子７０ａと下側の端子７０ｂとが、平面視において上側の端子７０ａの方が下側の端子７０ｂよりも接続側に距離Ｘだけずれて配置されている。換言すれば、上側の端子７０ａの方が、水平方向において下側の端子７０ｂよりも接続側に寄って配置されている。
本実施形態では、フィルムキャリア１０とスキャナユニット６０（マスクホルダ１０５）との間における接続を行うコネクタ１８ａ，１８ｂに含まれる端子構造として、以上のような端子配置を形成している。
【００５９】
これにより、フィルムキャリア１０とスキャナユニット６０とを電気的に接続する場合において、フィルムキャリア１０側のコネクタ１８ａを接続方向（図中矢印参照）に向かって進行させていくと、図８（ｂ）に示すように、最初に、コネクタ１８ａ，１８ｂにそれぞれ設けられた上側の端子７０ａと端子７２ａとが接触する。ここで、スキャナユニット６０（マスクホルダ１０５）側のコネクタ１８ｂの上側の端子７２ａは、電源供給を行う定電圧回路１２０が接続されている。そして、フィルムキャリア１０側のコネクタ１８ａの下側の端子７０ｂは、フィルムキャリア１０側に設けられた各種センサ（図示せず）等に接続されている。このため、フィルムキャリア１０には、図８（ｂ）に示す状態において、コネクタ１８ａ，１８ｂを介して電源供給が可能な状態となっている。
【００６０】
次に、コネクタ１８ａを接続方向に向かってさらに進めていくと、図８（ｃ）に示すように、今度はコネクタ１８ａ，１８ｂにそれぞれ設けられた下側の端子７０ｂと端子７２ｂとが接触する。ここで、スキャナユニット６０（マスクホルダ１０５）側のコネクタ１８ｂの下側の端子７２ｂは、センサ等の電気部品と接続されている。このため、フィルムキャリア１０には、図８（ｃ）に示す状態までコネクタ１８ａを進めたときに初めてコネクタ１８ａ，１８ｂを介してセンサ等の電気部品の導通が図られる。
【００６１】
そして、コネクタ１８ａをさらに接続方向へ進めて行くと、図８（ｄ）に示す状態となり、そこでコネクタ１８ａとコネクタ１８ｂとがロックされて保持される。
本実施形態では、以上のように、コネクタ１８ａに含まれる端子７０ａおよび端子７０ｂの位置を水平方向において接続方向における前後にずらして配置している。
これにより、電源供給部に相当する定電圧回路１２０に接続されたスキャナユニット６０のコネクタ１８ｂの下側の端子７２ｂに対するフィルムキャリア１０の接続タイミングが、他方の端子７２ａに対する接続タイミングよりも先になることになる。このため、スキャナユニット６０に対してフィルムキャリア１０を取り付けた際におけるスキャナユニット６０の定電圧回路１２０からの突入電流によってフィルムキャリア１０に含まれる各種センサ等の電気部品が破損してしまうことを回避することができる。この結果、コネクタ１８ａ，１８ｂに含まれる端子７０ａ，７０ｂおよび端子７２ａ，７２ｂの配置を変更するだけの簡易な構成により、端子７０ｂ側に接続された各種センサ等の電気部品が破損する等の不具合の発生を防止することができる。
【００６２】
反対に、フィルムキャリア１０をスキャナユニット６０から取り外す際に、図８（ｄ）に示す接続状態からコネクタ１８ａ，１８ｂを互いに離間する場合には、図８（ｃ）に示すように、今度は先に下側の端子７０ｂ，７２ｂが離間する。ここで、上述したように、スキャナユニット６０側の下側の端子７２ｂはセンサ等の電気部品に接続されている。このため、端子７０ｂ，７２ｂの離間によって、まずセンサ等の電気部品についての導通状態が解消される。
【００６３】
そして、さらにコネクタ１８ａを引き抜いていくと、図８（ｂ）に示すように、上側の端子７０ａ，７２ａが離間し、図８（ａ）にしめすような完全に離間された状態となる。  例えば、上側の端子７０ａ，７２ａにおける互いに接触する部分の長さ（導通ストローク）が４．２ｍｍであって、下側の端子７０ｂ，７２ｂにおける互いに接触する部分の長さ（導通ストローク）がその半分の２．１ｍｍの場合には、通常の速度でコネクタ１８ａをコネクタ１８ｂから引き抜いた場合には、図９（ａ）のグラフに示すように、電源側の端子７０ｂ，７２ｂが離間してから他方の端子７０ａ，７２ａが離間するまでに３０８ｍｓの時間差を設けることができる。このとき、他方の端子７０ａ，７２ａが離間する際には、フィルムキャリア１０にかかる電圧は約１／６となっている。
【００６４】
そして、コネクタ１８ｂからコネクタ１８ａを通常よりも高速で引き抜いた場合には、図９（ｂ）のグラフに示すように、電源側の端子７０ｂ，７２ｂが離間してから他方の端子７０ａ，７２ａが離間するまでに６４ｍｓの時間差を設けることができる。このとき、他方の端子７０ａ，７２ａが離間する際には、フィルムキャリア１０にかかる電圧は約１／２となっている。
【００６５】
これにより、スキャナユニット６０からフィルムキャリア１０を取り外す場合には、先にセンサ等の電気部品に接続された端子７０ｂ，７２ｂを離間させ、その後、所定時間以上の遅延時間をおいて電源側の端子７０ａ，７２ａを離間させることができる。このため、フィルムキャリア１０の取り外し時には、センサ等の電気部品の導通が解消された後で電源側の接続を解除するようにコネクタ１８ａ，１８ｂ間の接続を解除することで、フィルムキャリア１０の取り外し時における急激な電圧降下によってフィルムキャリア１０側のセンサ等の電気部品が破損してしまうことを防止することができる。
【００６６】
この結果、簡易な構成により、フィルムキャリア１０のスキャナユニット６０に対する脱着時における電気部品の破損等の不具合の発生を回避することができる。
［本フィルムスキャナ部３の特徴］
（１）
本実施形態のフィルムスキャナ部３では、フィルムキャリア１０とスキャナユニット６０とを接続するコネクタ１８ａ，１８ｂが有する端子構造として、図８（ａ）〜図８（ｄ）に示すような、コネクタ１８ａ側の端子７０ａ，７０ｂと、コネクタ１８ｂ側の端子７２ａ，７２ｂとを有している。そして、定電圧回路１２０と接続されたコネクタ１８ａ側の端子７０ａは、図８（ｂ）に示すように、センサ等の電気部品と接続された端子７０ｂがコネクタ１８ｂ側の端子７２ｂと接続されるよりも先にコネクタ１８ｂ側の端子７２ａに対して接続される。
【００６７】
これにより、図８（ｃ）に示すように、センサ等の電気部品と接続された端子７０ｂがコネクタ１８ｂ側の端子７２ｂと接触する前に、電源供給側の端子７０ａをコネクタ１８ｂ側の端子７２ａに対して接続することができる。よって、電源供給が可能な状態とした後で、センサ等を含む電気部品が接続された端子７０ｂ，７２ｂ側の接続を完了することができる。この結果、コネクタ１８ａにおける端子７０ａ，７０ｂの配置を変更しただけの簡易な構成により、フィルムキャリア１０とスキャナユニット６０との接続時において、センサ等の電気部品に対して突入電流が流れて破壊されてしまうといった不具合の発生を回避することができる。
【００６８】
（２）
本実施形態のフィルムスキャナ部３では、定電圧回路１２０と接続された端子７０ａの接続方向における前端部は、フィルムキャリア１０に含まれるセンサ等の電気部品に接続された端子７０ｂの接続方向における前端部よりも前方に配置されている。
これにより、コネクタ１８ａに含まれる端子７０ａ，７０ｂの配置をずらす変更だけで、端子７０ｂが電源供給側のコネクタ１８ｂ側の端子７２ｂと接触するタイミングと、センサ等の電気部品と接続された端子７０ａをコネクタ１８ｂ側の端子７２ａに対して接続するタイミングとを容易にずらすことができる。
【００６９】
この結果、簡易な構成により、フィルムキャリア１０に搭載されたセンサ等の電気部品の破損を防止することができる。
（３）
本実施形態のフィルムスキャナ部３では、コネクタ１８ａにおけるコネクタ１８ｂの端子７２ａ，７２ｂに対するそれぞれの接触長さが異なるように、端子７０ａ，７０ｂを配置している。
【００７０】
これにより、各端子７０ａ，７０ｂにおけるコネクタ１８ｂに対する導通ストロークを異ならせることができるため、センサ等の電気部品と接続された端子７０ｂがコネクタ１８ｂ側の端子７２ｂと接触するタイミングと、電源側の端子７０ａをコネクタ１８ｂ側の端子７２ａに対して接続するタイミングとを容易にずらすことができる。
この結果、簡易な構成により、フィルムキャリア１０に搭載されたセンサ等の電気部品の破損を防止することができる。
【００７１】
（４）
本実施形態のフィルムスキャナ部３では、互いに異なるタイミングで他方のコネクタの端子に接続される端子構造を、接続ユニットとしてのフィルムキャリア１０側に設けている。
これにより、定電圧回路１２０に接続されたコネクタとして通常の端子構成を有するコネクタ１８ｂを用いた場合でも、コネクタ１８ａ，１８ｂの接続時には、コネクタ１８ａにおける電源側の端子７０ａの方がセンサ側の端子７０ｂよりも先にコネクタ１８ｂの端子７２ａ，７２ｂに対して接続される。この結果、端子７０ａに接続されたセンサ等の電気部品が突入電流によって破壊されることを回避することができる。
【００７２】
（５）
本実施形態のフィルムスキャナ部３では、フィルムキャリア１０において、コネクタ１８ａ，１８ｂの接続時に、端子７０ｂが相手側のコネクタ１８ｂの端子７２ｂに接続されるよりも遅れてコネクタ１８ｂの端子７２ｂに接続される端子７０ｂが、センサ等を含む電気部品と接続されている。
【００７３】
このように、端子７０ｂが突入電流によって破壊され易いセンサ等の電気部品を含む場合でも、本実施形態のコネクタ端子構造によれば、コネクタ１８ａ，１８ｂの接続時においてセンサ等が破壊等の不具合の発生を回避することができる。
［他の実施形態］
以上、本発明の一実施形態について説明したが、本発明は上記実施形態に限定されるものではなく、発明の要旨を逸脱しない範囲で種々の変更が可能である。
【００７４】
（Ａ）
上記実施形態では、接続ユニットとしてのフィルムキャリア１０側の端子として、接触／非接触のタイミングが異なる端子７０ａ（第１端子部）と端子７０ｂ（第２端子部）とを設けた例を挙げて説明した。しかし、本発明はこれに限定されるものではない。
例えば、本体部としてのスキャナユニット側の端子として、第１・第２端子部が設けられていてもよい。この場合でも、電源供給部に接続された第１端子部と、センサ等に接続された第２端子部との接触／非接触のタイミングをずらして、上記と同様の効果を得ることができる。
【００７５】
また、上記第１・第２端子部を、本体部側および接続ユニット側の双方に設けてもよい。この場合でも、電源供給部に接続された第１端子部と、センサ等に接続された第２端子部との接触／非接触のタイミングをずらして、上記と同様の効果を得ることができる。
（Ｂ）
上記実施形態では、本体部としてのスキャナユニット６０（マスクホルダ１０５）と接続ユニットとしてのフィルムキャリア１０との脱着時において、端子７０ａ（第１端子部）と端子７０ｂ（第２端子部）とが異なるタイミングで接触／非接触状態とするために、端子７０ｂと同じ長さの端子７０ａを、端子７０ｂよりも接続方向における前方へずらして配置した例を挙げて説明した。しかし、本発明はこれに限定されるものではない。
【００７６】
例えば、第１端子部と第２端子部とが接触／非接触となるタイミングがずれていれば、第１端子部と第２端子部の長さが異なっていてもよい。
（Ｃ）
上記実施形態では、本体部としてのスキャナユニット６０（マスクホルダ１０５）と接続ユニットとしてのフィルムキャリア１０との脱着時において、端子７０ａ（第１端子部）と端子７０ｂ（第２端子部）とが異なるタイミングで接触／非接触状態とするために、図８（ｄ）に示すように、端子７０ｂ（第２端子部）における導通ストロークを端子７０ａ（第１端子部）よりも短くした例を挙げて説明した。しかし、本発明はこれに限定されるものではない。
【００７７】
例えば、第１端子部と第２端子部とが接触／非接触となるタイミングがずれていれば、第１端子部と第２端子部とにおける導通ストロークが同一であってもよい。
（Ｄ）
上記実施形態では、フィルムキャリア１０側の端子７０ｂ（第２端子部）にセンサ等の電気部品が接続されている例を挙げて説明した。しかし、本発明はこれに限定されるものではない。
【００７８】
例えば、本体部と接続ユニット部との脱着時において、大電流が流れることで破壊され易い電気部品であれば、第２端子部に接続されている電気部品はセンサに限定されるものではない。
（Ｅ）
上記実施形態では、プリンタプロセッサ１に搭載されたフィルムスキャナ部３におけるスキャナユニット６０とフィルムキャリア１０との接続を行うコネクタ１８ａ，１８ｂの部分に対して本発明のコネクタ端子構造を適用した例を挙げて説明した。しかし、本発明はこれに限定されるものではない。
【００７９】
フィルムスキャナ装置に限らず、他の装置に対しても本発明のコネクタ端子構造を適用することは可能である。
【産業上の利用可能性】
【００８０】
本発明のコネクタ端子構造は、簡易な構成により、本体部と接続ユニットとの脱着時においてコネクタ部に大電流が流れて接続ユニット側の電気部品が破損する等の不具合の発生を防止することができるという効果を奏することから、電源供給装置と接続ユニットとの間を電気的に接続する各種装置に対して広く適用可能である。
【図面の簡単な説明】
【００８１】
【図１】本発明の一実施形態に係るコネクタ端子構造を備えたフィルムスキャナ部を搭載したプリンタプロセッサの外観を概略的に示す斜視図。
【図２】図1のプリンタプロセッサを構成する各部を示すブロック図。
【図３】図1のフィルムスキャナ部に含まれるフィルムキャリアの概略斜視図。
【図４】図３のフィルムスキャナ部における通過孔形成ブロック付近を示す破断正面図。
【図５】図1のプリンタプロセッサに含まれるマスクホルダとフィルムキャリアとの取り付け構造を示す斜視図。
【図６】図３のフィルムキャリアを下方から見た斜視図。
【図７】図５のフィルムキャリアとマスクホルダとが第１位置にある状態を示す平面図。
【図８】（ａ）〜（ｄ）は、フィルムキャリアとスキャナユニットとを接続する際の過程を示すコネクタ部分の拡大図。
【図９】（ａ），（ｂ）は、本発明のコネクタ端子構造による効果を示すグラフ。
【符号の説明】
【００８２】
１      プリンタプロセッサ（写真処理装置）
２Ａ    印画紙マガジン
２Ｂ    印画紙マガジン
３      フィルムスキャナ部（フィルムスキャナ装置）
５      デジタルプリント部
６      現像処理部
７      コントローラ
７ａ    モニタ
７ｂ    操作卓
８      印画紙搬送機構
８Ａ    印画紙供給ライン
８Ｂ    露光搬送ライン
８Ｃ    現像搬送ライン
９      フィルム搬送機構
９ａ    送りローラ
９ｂ    圧着ローラ
９ｃ    ガイドローラ
９ｄ    押さえローラ
１０      フィルムキャリア
１２      ペーパーカッター
１３      パルスモータ
１８ａ    コネクタ（第１コネクタ部、第２コネクタ部、コネクタ端子構造）
１８ｂ    コネクタ（第２コネクタ部、第１コネクタ部、コネクタ端子構造）
２２      回転フィルタ
３０      照明光学系
３１      ハロゲンランプ
３２      調光フィルタ
３３      ミラートンネル
３４ａ    ベース部材
３４ｂ    カバー部材
３５      光ファイバ
３５ａ    切り欠き
３５ｂ    切り欠き
３５ｃ    係合凹部
３５ｄ    乗り上げ面
３５ｅ    突起部
３６ａ    シャッタアレイ
４０      撮像光学系
４１      レンズユニット
４２      ミラー
５０      光電変換部
５１      ラインＣＣＤセンサ
６０      スキャナユニット
７０ａ    端子（第１端子部）
７０ｂ    端子（第２端子部）
７２ａ    端子
７２ｂ    端子
８０Ａ    中間搬送ローラユニット
８０Ｂ    第１露光搬送ローラユニット
８０Ｃ    第２露光搬送ローラユニット
１００    本体
１０５    マスクホルダ（本体部）
１０６ａ・１０６ｂ  レール
１０７    案内ローラ
１０８    捻りコイルばね
１１０    フレーム部材
１１１    ストッパ部材
１２０    定電圧回路（電源供給部）
Ｆ      写真フィルム
Ｐ      印画紙
【図１】
2007035478.tif 000003
【図２】
2007035478.tif 000004
【図３】
2007035478.tif 000005
【図４】
2007035478.tif 000006
【図５】
2007035478.tif 000007
【図６】
2007035478.tif 000008
【図７】
2007035478.tif 000009
【図８】
2007035478.tif 000010
【図９】
2007035478.tif 000011